(57)【要約】      （修正有）【課題】吊下陳列時にカップの挿入と取出しが容易にでき、かつ両側の折り曲げ片で折り畳みを防止できるカップ型商品の吊下式陳列具を提供する。【解決手段】縦長帯状板紙製で、傾斜状前面板部５と、前面板部５の第１折り目１３より折れ曲がり、第２折り目により下段の傾斜状前面板部５と繋がる下部支持板部６と、その両側に側部折り目１７を介して設けた２つの側板部７と、カップ型商品を挿入保持する開口部８からなる前面保持部Ａと、前面保持部Ａの開口部８の上端の第３折り目１５より折れ曲がった上部支持板部と、上部支持板部の第４折り目より下方に折り曲がり下段の前面板部５と繋がる背面板部とを有する背面保持部とを備える。前面保持部Ａと背面保持部とによりカップ型商品保持部２を構成し、カップ型商品保持部２の開口部８にカップ型商品を挿入保持するカップ型商品の吊下式陳列具を構成する。【選択図】図１
0003152387.tif 000002
【実用新案登録請求の範囲】
【請求項１】
縦長帯状板紙の縦方向に複数段のカップ型商品保持部を備えるカップ型商品の吊下式陳列具であって、
前記吊下式陳列具は、カップ型商品保持部を備える傾斜状前面板部と、該前面板部の下部に設けられた第１折り目より背面側に折れ曲がりかつ後端に設けられた第２折り目により下段の傾斜状前面板部と繋がる下部支持板部と、前記前面板部と前記下部支持板部との両側部に設けられ、側部折り目を介して前記前面板部および前記下部支持板部と繋がる２つの側板部と、前記前面板部と前記下部支持板部に設けられた前記カップ型商品を挿入して保持する開口部からなる前面保持部と、前記前面保持部の前記開口部の背面側に、前記前面板部の前記開口部の上端に設けられた第３折り目より背面側に折れ曲がった上部支持板部と、該上部支持板部の後端に設けられた第４折り目より下方に折り曲がり、かつ下端が前記下段の前記前面板部と繋がる背面板部とを有する背面保持部とを備え、前記前面保持部と前記背面保持部とにより前記カップ型商品保持部を構成し、該前記カップ型商品保持部の前記開口部に前記カップ型商品を挿入保持可能としたことを特徴とするカップ型商品の吊下式陳列具。
【請求項２】
前記吊下式陳列具は、各前記カップ型商品保持部が折り畳み可能であり、かつ上段の前記カップ型商品保持部の前記下部支持板部が、下段のカップ型商品保持部の傾斜状前面板部と重なるように扁平状に折り畳み可能となっている請求項１に記載のカップ型商品の吊下式陳列具。
【請求項３】
前記前面保持部の前記２つの側板部は、前記前面板部の下部の第１折り目に連続して側端まで折り畳み可能とする折り畳み用折り目を有し、かつ前記側板部の上端から下端までの側端に前記折り畳み用折り目に交差する折り曲げ片用折り目を介して繋がる折り曲げ片を備えている請求項１または２に記載のカップ型商品の吊下式陳列具。
【請求項４】
前記カップ型商品保持部の前記開口部は、前記カップ型商品が有する鍔部と係合可能な係合段部を有している請求項１ないし３のいずれかに記載のカップ型商品の吊下式陳列具。
【請求項５】
前記吊下式陳列具は、上部に吊り下げ部を備えている請求項１ないし４のいずれかに記載のカップ型商品の吊下式陳列具。
【請求項６】
前記吊下式陳列具は、前記吊り下げ部より若干下方に設けられた横方向に延びる上部折り目を有している請求項５に記載のカップ型商品の吊下式陳列具。
【請求項７】
縦長帯状板紙の縦方向に複数段のカップ型商品保持部を備えるカップ型商品の吊下式陳列具であって、
前記吊下式陳列具は、吊下時において傾斜状となり、かつ前記カップ型商品保持部を備える傾斜状前面板部と、該前面板部の下部に設けられた第１折り目より背面側に折れ曲がりかつ後端に設けられた第２折り目により下段の傾斜状前面板部と繋がる下部支持板部と、前記前面板部と前記下部支持板部との両側部に設けられ、側部折り目を介して前記前面板部および前記下部支持板部と繋がる２つの側板部と、前記前面板部と前記下部支持板部に設けられた前記カップ型商品を挿入して保持する開口部からなる前面保持部と、前記前面保持部の前記開口部の背面側に、前記前面板部の前記開口部の上端に設けられた第３折り目より背面側に折れ曲がった上部支持板部と、該上部支持板部の後端に設けられた第４折り目より下方に折り曲がり、かつ下端が前記下段の前記前面板部と繋がる背面板部とを有する背面保持部と備え、前記前面保持部と前記背面保持部とにより前記カップ型商品保持部を構成し、該前記カップ型商品保持部の前記開口部に前記カップ型商品を挿入保持可能なっており、さらに、前記前面保持部の前記２つの側板部は、前記前面板部の下部の第１折り目に連続して側端まで折り畳み可能とする折り畳み用折り目を有し、かつ前記側板部の上端から下端までの側端に前記折り畳み用折り目に交差する折り曲げ片用折り目を介して繋がる折り曲げ片を備え、かつ、前記吊下式陳列具は、各前記カップ型商品保持部が折り畳み可能であり、かつ上段の前記カップ型商品保持部の前記下部支持板部が、下段のカップ型商品保持部の傾斜状前面板部と重なるように扁平状に折り畳み可能となっていることを特徴とするカップ型商品の吊下式陳列具。
【請求項８】
前記カップ型商品保持部の前記開口部は、前記カップ型商品が有する鍔部と係合可能な係合段部を有している請求項７に記載のカップ型商品の吊下式陳列具。
【請求項９】
前記吊下式陳列具は、上部に吊り下げ部を備えている請求項７または８に記載のカップ型商品の吊下式陳列具。
【請求項１０】
前記吊下式陳列具は、前記吊り下げ部より若干下方に設けられた横方向に延びる上部折り目を有している請求項９に記載のカップ型商品の吊下式陳列具。
【考案の詳細な説明】
【技術分野】
【０００１】
本考案は、コーヒー封入袋、パウダー封入袋、マドラー（攪拌棒）などのセット、或いは菓子、加工食品等商品を収納した紙製、合成樹脂製カップ（容器）を陳列して販売するカップ型商品の吊下式陳列具に関する。
【背景技術】
【０００２】
この種の吊下式陳列具として、基板を蛇腹状に折り曲げて、小瓶を収容する収納部を有する収納段を複数段形成し、各収納段が配置された上下方向に紐を渡し、紐の緊張により基板の折り曲げ状態を維持する。店頭への配送時には、紐を基板から取り外すことなく、基板を扁平に折り畳みできるものが開示されている（特許文献１）。
【先行技術文献】
【特許文献】
【０００３】
【特許文献１】特開２００８−８６６４６号公報
【考案の概要】
【考案が解決しようとする課題】
【０００４】
上記吊下式陳列具は、基板を蛇腹状に折り曲げて商品の収納部を有する収納段を複数段形成し、各収納段に紐を取り付ける構造であるから、基板の他に両側の紐が必要であり、紐を取り付けるので、製作に手間がかかり、組立てて吊り下げるとき、紐で保持するだけであるから基板が折り畳まれやすく、収納部に収容する小瓶の保持が不安定であり、また、組立てたとき、基板は段状の収納段の前後の奥行きが大きく、店頭に吊り下げるときに広いスペースが必要となるなどの問題がある。
【０００５】
本考案は、上記実情に鑑みてなされたものであり、カップ保持部にカップの挿入と取出しが容易にでき、カップ保持部の両側の折り曲げ片の折り曲げでカップ保持部の折れ曲がりを防止してカップ保持部の組立形態を保持できるカップ型商品の吊下式陳列具を提供することを目的とする。
【課題を解決するための手段】
【０００６】
上記目的を達成するものは、以下（１）から（１０）を特徴とするカップ型商品の吊下式陳列具である。
（１）  本考案のカップ型商品の吊下式陳列具は、縦長帯状板紙の縦方向に複数段のカップ型商品保持部を備えるカップ型商品の吊下式陳列具であって、
前記吊下式陳列具は、吊下時において傾斜状となり、かつ前記カップ保持部を備える傾斜状前面板部と、該前面板部の下部に設けられた第１折り目より背面側に折れ曲がりかつ後端に設けられた第２折り目により下段の傾斜状前面板部と繋がる下部支持板部と、前記前面板部と前記下部支持板部との両側部に設けられ、側部折り目を介して前記前面板部および前記下部支持板部と繋がる２つの側板部と、前記前面板部と前記下部支持板部に設けられた前記カップ型商品を挿入して保持する開口部からなる前面保持部と、前記前面保持部の前記開口部の背面側に、前記前面板の前記開口部の上端に設けられた第３折り目より背面側に折れ曲がった上部支持板部と、該上部支持板部の後端に設けられた第４折り目より下方に折り曲がり、かつ下端が前記下段の前記前面板部と繋がる背面板部とを有する背面保持部とを備え、前記前面保持部と前記背面保持部とにより前記カップ型商品保持部を構成し、該前記カップ型商品保持部の前記開口部に前記カップ型商品を挿入保持可能としたことを特徴とする。
【０００７】
（２）  前記吊下式陳列具は、各前記カップ型商品保持部が折り畳み可能であり、かつ上段の前記カップ型商品保持部の前記下部支持板部が、下段のカップ型商品保持部の傾斜状前面板部と重なるように扁平状に折り畳み可能となっている前記（１）に記載のカップ型商品の吊下式陳列具。
（３）  前記前面保持部の前記２つの側板部は、前記前面板部の下部の第１折り目に連続して側端まで折り畳み可能とする折り畳み用折り目を有し、かつ前記側板部の上端から下端までの側端に前記折り畳み用折り目に交差する折り曲げ片用折り目を介して繋がる折り曲げ片を備えている前記（１）または（２）に記載のカップ型商品の吊下式陳列具。
【０００８】
（４）  前記カップ型商品保持部の前記開口部は、前記カップ型商品が有する鍔部と係合可能な係合段部を有している請求項１ないし３のいずれかに記載のカップ型商品の吊下式陳列具。
（５）  前記吊下式陳列具は、上部に吊り下げ部を備えている前記（１）ないし前記（４）のいずれかに記載のカップ型商品の吊下式陳列具。
（６）  前記吊下式陳列具は、前記吊り下げ部より若干下方に設けられた横方向に延びる上部折り目を有している前記（５）に記載のカップ型商品の吊下式陳列具。
【０００９】
（７）  縦長帯状板紙の縦方向に複数段のカップ型商品保持部を備えるカップ型商品の吊下式陳列具であって、
前記吊下式陳列具は、吊下時において傾斜状となり、かつ前記カップ保持部を備える傾斜状前面板部と、該前面板部の下部に設けられた第１折り目より背面側に折れ曲がりかつ後端に設けられた第２折り目により下段の傾斜状前面板部と繋がる下部支持板部と、前記前面板部と前記下部支持板部との両側部に設けられ、側部折り目を介して前記前面板部および前記下部支持板部と繋がる２つの側板部と、前記前面板部と前記下部支持板部に設けられた前記カップ型商品を挿入して保持する開口部からなる前面保持部と、前記前面保持部の前記開口部の背面側に、前記前面板の前記開口部の上端に設けられた第３折り目より背面側に折れ曲がった上部支持板部と、該上部支持板部の後端に設けられた第４折り目より下方に折り曲がり、かつ下端が前記下段の前記前面板部と繋がる背面板部とを有する背面保持部と備え、前記前面保持部と前記背面保持部とにより前記カップ型商品保持部を構成し、該前記カップ型商品保持部の前記開口部に前記カップ型商品を挿入保持可能なっており、さらに、前記前面保持部の前記２つの側板部は、前記前面板部の下部の第１折り目に連続して側端まで折り畳み可能とする折り畳み用折り目を有し、かつ前記側板部の上端から下端までの側端に前記折り畳み用折り目に交差する折り曲げ片用折り目を介して繋がる折り曲げ片を備え、かつ、前記吊下式陳列具は、各前記カップ型商品保持部が折り畳み可能であり、かつ上段の前記カップ型商品保持部の前記下部支持板部が、下段のカップ型商品保持部の傾斜状前面板部と重なるように扁平状に折り畳み可能となっていることを特徴とするカップ型商品の吊下式陳列具。
【００１０】
（８）  前記カップ型商品保持部の前記開口部は、前記カップ型商品が有する鍔部と係合可能な係合段部を有している前記（７）に記載のカップ型商品の吊下式陳列具。
（９）  前記吊下式陳列具は、上部に吊り下げ部を備えている前記（７）または前記（８）に記載のカップ型商品の吊下式陳列具。
（１０）  前記吊下式陳列具は、前記吊り下げ部より若干下方に設けられた横方向に延びる上部折り目を有している前記（９）に記載のカップ型商品の吊下式陳列具。
【考案の効果】
【００１１】
（１）この考案のカップ型商品の吊下式陳列具によれば、傾斜状前面板部と下部支持板部と２つの側板部と、前記前面板部と下部支持板部にカップ型商品を挿入して保持する開口部とを有する前面保持部と、前記前面保持部の開口部の背面側に、前記前面板部の開口部の上端より背面側に折り曲げた上部支持板と、該上部支持板部の後端より下方へ折り曲げ、かつ下端が下段の前面板部に繋がる背面板部とを有する背面保持部とによりカップ型商品保持部が構成され、前面保持部と背面保持部でカップ型商品を保持するので、カップ型商品を確実に保持することができる。カップ型商品保持部に前面より挿入、取出しができるので、カップ型商品保持部を複数段設けても、前面よりカップ型商品を出し入れしやすく、便利である。また、この考案の吊下式陳列具によれば、１枚の縦長帯状板紙を用いてカップ型商品保持部を形成できるので、製品を安価に提供でき、かつ組立、折り畳みが簡単で便利である。
【００１２】
（２）この考案によれば、各前記カップ型商品保持部が折り畳み可能であり、かつ上段の前記カップ型商品保持部の前記下部支持板部が、下段のカップ型商品保持部の傾斜状前面板部と重なるように扁平状に折り畳み可能としたので、コンパクトに折り畳みでき、移送、保管に便利である。
（３）この考案によれば、前記前面保持部は、前記両側の側板部に前記前面板部の下部の第１折り目に連続して側端まで折り畳み用折り目を有し、前記側板部の上端から下端までの折り曲げ片用折り目を介して折り曲げ片を設け、組立時に折り曲げ片を折り曲げ片用折り目で折り曲げることにより折り畳み用折り目が折れ曲がることなく真っ直ぐに伸ばしてカップ型商品保持部の組立形態を簡単かつ確実に保持できて便利である。
（４）この考案によれば、前記カップ型商品保持部は、前記前面板部の開口部の両側にカップ型商品の鍔部または蓋の鍔部を係合可能な係合段部を設けたので、前面よりカップ型商品を挿入するとき、カップ型商品の鍔部または蓋の鍔部を係合段部にかけて確実に吊り下げることができる。
（５）この考案によれば、前記縦長帯状板紙は、上部に吊り下げ部を備えたので、店舗などの陳列箇所に吊り下げて陳列できて便利である。
【図面の簡単な説明】
【００１３】
【図１】この考案のカップ型商品の吊下式陳列具を示す組立状態の斜視図である。
【図２】同カップ型商品の吊下式陳列具の側板部を折り曲げ片を折り曲げた状態の斜視図である。
【図３】同カップ型商品の吊下式陳列具の要部正面図である。
【図４】同カップ型商品の吊下式陳列具の側面図である。
【図５】同カップ型商品の吊下式陳列具の縦断面図である。
【図６】この考案のカップ型商品の吊下式陳列具にカップを保持した状態の斜視図である。
【図７】カップ型商品を保持した状態の縦断面図である。
【図８】カップ型商品の吊下式陳列具の折り畳み状態の斜視図である。
【図９】カップ型商品の吊下式陳列具の展開図である。
【考案を実施するための形態】
【００１４】
図１ないし図５において、本考案のカップ型商品の吊下式陳列具は、縦長帯状板紙１の縦方向に複数段のカップ型商品保持部２を備えるものであり、カップ型商品保持部２はカップ型商品３を挿入保持するものである。
カップ型商品３は、上部の径を下部より大きくしたテーパー付きとした紙製カップ３ａに合成樹脂製の蓋体３ｂが被せられている。蓋体３ｂは、下端周囲に鍔部３ｃが設けられ、前記カップ３ａの上端の周囲に嵌めつけられている。このカップ型商品３には、例えば、インスタントコーヒー封入袋、パウダー封入袋、シュガーの袋、マドラー（攪拌棒）などのセットを収容して蓋体３ｂを被せて販売するものである（図６、図７参照）。カップ型商品は上記のものに限るものではなく、例えば、カップに飲料、菓子、加工食品等商品を収納したカップ型商品などでもよい。上記カップ型商品３は、蓋体３ｂの下端周囲に鍔部３ｃを設けてカップ３ａに被せる場合を示したが、これに限るものではなく、カップの上端周囲に鍔部を設けたもの、或いはカップの鍔部に蓋体の鍔部を被せるものなどを含む。蓋体は、透明な合成樹脂製としてカップ内部を外部より視認できるようにしてある。前記蓋体、カップの材質は上記のものに限るものではない。
【００１５】
図１ないし図５において、この考案の吊下式陳列具は、吊下時において傾斜状となり、かつ前記カップ型商品保持部２を備える傾斜状前面板部５と、該前面板部５の下部に設けられた第１折り目１３より背面側に折れ曲がりかつ後端に設けられた第２折り目１４により下段の傾斜状前面板部５と繋がる下部支持板部６と、前記前面板部５と前記下部支持板部６との両側部に設けられ、側部折り目１７を介して前記前面板部５および前記下部支持板部６と繋がる２つの側板部７と、前記前面板部５と前記下部支持板部６に設けられた前記カップ型商品３を挿入して保持する開口部８からなる前面保持部Ａと、前記前面保持部Ａの前記開口部８の背面側に、前記前面板部５の前記開口部８の上端に設けられた第３折り目１５より背面側に折れ曲がった上部支持板部１０と、該上部支持板部１０の後端に設けられた第４折り目１６より下方に折り曲がり、かつ下端が前記下段の前記前面板部５と繋がる背面板部１１とを有する背面保持部Ｂとを備え、前記前面保持部Ａと前記背面保持部Ｂとにより前記カップ型商品保持部２が構成される。
吊下式陳列具は、前記前面保持部Ａと背面保持部Ｂとを組立てるとともに、側板部７が側部折り目１７より折り曲げられ、側板部７の下端は前記下部支持板部６に固着されてカップ型商品保持部２が組立てられる。このカップ型商品保持部２の前記開口部８に前記カップ型商品３を挿入保持可能とされる。
【００１６】
前記吊下式陳列具は、各前記カップ型商品保持部２が折り畳み可能であり、かつ上段の前記カップ型商品保持部２の前記下部支持板部６が、下段のカップ型商品保持部２の傾斜状前面板部５と重なるように扁平状に折り畳み可能となっている（図８参照）。
【００１７】
前記前面保持部Ａの前面板部５と下部支持板部６と、前記背面保持部Ｂの上部支持板部１０と背面板部１１は、第１折り目１３、第２折り目１４、第３折り目１５、第４折り目１６で折り曲げて平行四辺形に構成される。
一方の対角は、下部支持板部６と前面板部５との第２折り目１４の角部と、前面板部５と上部支持板部１０の第３折り目１５との角部で、他方の対角は、前面板部５と下部支持板部６の第１折り目１３の角部と、上部支持板部１０と背面板部１１の第４折り目１６の角部である。
一方の対角を離反させてほぼ直角とすると、他方の対角もほぼ直角となり、平行四辺形のカップ型商品保持部２が組立てられる。逆に、平行四辺形の一方の対角を接近させかつ他方の対角を離反させて扁平状に折り畳まれるものである。
【００１８】
前記前面保持部３の各前面板部５には、両側の側部折り目１７を介して側板部７が設けられ、側板部７を下部支持板部６に固着するために側板部７の下部の貼着片用折り目１８を介して貼着片１９が形成されている。
側板部７は、側部折り目１７より前面板部５の側方へ折り曲げ、側板部７の下部の貼着片１９は貼着片用折り目１８より前記前面板部５の下部支持板部６の下面に折り曲げて接着材で貼着され、前面保持部Ａと背面保持部Ｂの側面が平行四辺形となるカップ型商品保持部２が構成される。貼着片１９は接着材で下部支持板部６の下面に貼着したが、これに限るものでなくテープ、ホッチキスなどの適宜留め具で止めてもよい。
組立時は、前面板部５と下部支持板部６は、第１折り目１３で直角に折り曲げられ、下部支持板部６と下段の前面板部５は、第２折り目１４で直角に折り曲げられ、両側の側板部７は側部折り目１７で裏面側に直角に折り曲げられ、さらに下辺の貼着片１９が貼着片用折り目１８で下部支持板部６の下面に直角に折り曲げられて組立てられる。
折り畳み時は、側部折り目１７と貼着片用折り目１８は真っ直ぐに伸ばされ、第１折り目１３と第３折り目１５、折り畳み用折り目２５で折り畳まれる（図８参照）。
【００１９】
前記前面保持部Ａの前面板部５と下部支持板部６に設ける開口部８は、カップ型商品３の形状に合致するように設けられる。前記前面板部５には、上部にカップ型商品同士が当たらないように所定の間隔をあけるための板状部５ａが設けられ、その前面下方にカップ型商品の形状に合致する前部の開口部８ａが設けられ、かつ下部支持板部６には、前部の開口部８ａと連続して下部の開口部８ｂが設けられる。前記前部の開口部８ａは、カップ３ａの形状とし、該前面開口部８ａの両側のほぼ中央に蓋体３ｂの鍔部３ｃを係合可能な凹状の係合段部２０が設けられる。下部支持板部６と上部支持板部１０は、カップ３ａの半径のほぼ１／２以上の奥行きとし、下部支持板部６にカップ３ａを挿入して周面が当接する半円形の開口部８ｂが設けられている。このカップ３ａを開口部８ｂに当接したとき、蓋体３ｂの鍔部３ｃの背面側が背面板部１１に当接するか、近接位置に保持されるように設けられる。
カップ型商品保持部２は、カップ型商品３を前記前面板部５の開口部８ａより挿入して蓋体３ｂの鍔部３ｃが係合段部２０に吊り下げ状態に掛けられるとともにカップ３ａの周面が前記下部支持板部６の開口部８ｂに押し当てられて保持される。
【００２０】
前記前面保持部Ａの両側の側板部７は、前記前面板部５と下部支持板部６との側方に設けられ、前記前面板部５の下部の第１折り目１３に連続して側端まで折り畳み可能とする折り畳み用折り目２５と、前記側板部７の上端から下端まで前記折り畳み用折り目２５に交差する斜めの折り曲げ片用折り目２６を介して折り曲げ片２７を備えてある。
側板部７は、側部折り目１７と貼着片用折り目１８と折り曲げ片用折り目２６が３辺となり、側部折り目１７と貼着片用折り目１８が直角となる三角形が構成され、その直角三角形の長辺である折り曲げ片用折り目２６に帯状の折り曲げ片２７が設けられている。
側板部７は側部折り目１７と貼着片用折り目１８で直角に折り曲げ、貼着片１９を前記下部支持板部６の下面に接着材で貼着する。側板部７は前面板部５と下部支持板部６を直角に折り曲げたとき、前面板部５の上端と支持板６の後端とを結ぶ線が折り曲げ片用折り目２６となる。折り曲げ片２７を折り曲げ片用折り目２６で折り曲げることにより曲げ方向の力が働いて、三角形の側板部は中間の折り畳み用折り目２５で折れることなく真っ直ぐな状態で保持できる。したがって、カップ型商品保持部２を組立てカップ型商品を陳列使用時に、カップ型商品保持部２が折り畳まれることを防止できる。
【００２１】
前記吊下式陳列具は、前記縦長帯状板紙１の上部に吊り下げ部２８を備えている。
前記吊下式陳列具は、前記縦長帯状板紙１の前記吊り下げ部２８より若干下方に設けられた横方向に延びる上部折り目３１を有している。
前記吊り下げ部２８の両側には、吊り下げ孔２９を設け、吊り紐３０など通して吊り下げ展示する。吊り紐３０には、Ｓ字型吊り金具を取り付けて陳列ケース等に設けたねじ、釘に掛けて展示するのが好ましい。
縦長帯状板紙１は、上部の長手方向に対して直交する方向に設けた上部折り目３１を介して吊り下げ部２８を設ける。吊り下げ部２８は中央に２つ折りとする折り目３２と円弧の切れ目３３とを設け、折り目３２で折り曲げて円弧の切れ目３３を上部に突出させる。折り目３２の上下対称位置に吊り下げ孔２９が設けられる。
【００２２】
この考案のカップ型商品の吊下式陳列具は、図９に示す展開図に示すように、１枚の縦長帯状板紙１で作成する。
縦長帯状板紙１は、上部折り目３１の下部に前面板部５、下部の第１折り目１３、下部支持板部６、第２折り目１４、続いて第２段目の前面板部５、下部の第１折り目１３、下部支持板部６、第２折り目１４、続いて第３段目の前面板部５、下部の第１折り目１３、下部支持板部６、第２折り目１４が設けられている。そして、前記各前面板部５の両側に側部折り目１７を介して側板部７が設けられている。
側板部７は、前面板部５と同じ長さの矩形で、側端をほぼ台形型としてあり、下部の第１折り目１３の両端から側端の中程まで斜めに折り畳み用折り目２５が設けられ、かつ前記折り目３１の両端より側端下部まで前記折り畳み用折り目２５に交差する折り曲げ片用折り目２６が設けられている。側板部７の下端の貼着片用折り目１８を介して貼着片１９が設けられている。
そして、前面板部５と下部支持板部６とに、カップ型商品３と、蓋体３ｂの両側の形状に合致する切り込み２１が設けられている。
上記縦長帯状板紙１を折り曲げてカップ型商品保持部２を組立できるようにしてある。
【００２３】
縦長帯状板紙１のカップ型商品の吊下式陳列具の組立ては、上部折り目３１で前面板部５を折り曲げ、前面板部５の第１折り目１３、下部支持板部６の折り目１４を折り曲げ、側板部７を側部折り目１７より折り曲げ、かつ折り畳み用折り目２５より折り曲げ、さらに貼着片用折り目１８より貼着片１９を折り曲げ、貼着片１９を前記下部支持板部６の下面に接着材で貼着して前面保持部Ａを形成する。そして、前面板部５の切り込み２１を切り離して中間部分を押し込み、前面板部５と下部支持板部６の両側に並設した切り込み２１間に開口部８が形成され、かつ前面板部５の開口部８ａの上部の第３折り目１５より折り曲げる上部支持板部１０と、第４折り目１６より折り曲げる背面板部１１とにより背面保持部Ｂが構成される。前面保持部Ａと背面保持部Ｂとにより、カップ型商品３を挿入保持するカップ型商品保持部２が構成される。
前面保持部Ａと背面保持部Ｂとは第１折り目１３、第２折り目１４、第３折り目１５、第４折り目１６を頂点とする平行四辺形に構成され、カップ型商品保持部２が四角形状に組立てられる。
そして、側板部７は折り目２６より折り曲げ片２７を前面板部５の背面側に折り曲げて、組立状態で、折り畳み用折り目２５より側板部７が折り畳まれないようにする。
【００２４】
カップ型商品の吊下式陳列具を使用するときは、組立てたカップ型商品保持部２の開口部８にカップ型商品３を吊り下げて展示販売する。
カップ型商品保持部２の前面板部５と下部支持板部６の開口部８に保持したカップ型商品３を取り出すときは、前面板部５の前面より容器を掴んで斜め上方に引き出して取り出すことができる。したがって、複数段のカップ型商品保持部２にカップ型商品３が保持されている場合に、中間のカップ型商品３を取り出すときにも、上方のカップ型商品３が邪魔になることなく取り出すことができるので、便利である。
【００２５】
カップ型商品の吊下式陳列具を折り畳む場合は、側部折り目１７と貼着片用折り目１８は伸ばして、第１折り目１３とそれに連続する折り畳み用折り目２５と、第３折り目１５で折り畳むことにより扁平に折り畳み、上段の前記カップ型商品保持部の前記下部支持板部が、下段のカップ型商品保持部の傾斜状前面板部と重なるように折り畳まれて、コンパクトとして移送、保管される。
【００２６】
この考案のカップ型商品の吊下式陳列具は、上記した構造としたので、購入者等がカップ型商品の吊下式陳列具に挿入保持されたカップ型商品を前面より簡単に取り出せるので、便利である。
また、前記カップ型商品保持部は、折り曲げ片を折り曲げることにより、折り畳み用折り目を折れ曲がらないように伸ばして保持でき、カップ型商品保持部を簡単かつ確実に組立てできるので、便利である。
前記カップ型商品保持部は、前面よりカップ型商品を挿入するとき、蓋の鍔部を係合段部にかけて吊り下げ保持できる。また、上部に吊り下げ部を備えたので、店舗などの陳列箇所に吊り下げて陳列できて便利である。
【実施例１】
【００２７】
図１ないし図９に示す実施例では、カップ型商品保持部２は１枚の縦長帯状板紙１の縦方向に３段に設けてあり、各カップ型商品保持部２に前記開口部８を２箇所並設してある。
縦方向の３段のカップ型商品保持部２は、各開口部８にカップ型商品３を挿入したとき、上下のカップ型商品３同士が当たらないように吊り下げ保持できるようにしてある。
したがって、カップ型商品３は斜め手前に引き出すことにより外すことができるので、便利である。
【００２８】
以上の実施形態を示したが、この考案はこの形態に限定されるものではなく、この考案の要旨を逸脱しない範囲で、種々の形態を実施しうるものである。カップ型商品保持部２は、実施例のものに限定されるものでなく、縦方向の段数、横方向の開口部の数を増減することは自由にできる。
【符号の説明】
【００２９】
１  縦長帯状板紙
２  カップ型商品保持部
３  カップ型商品
３ａ  カップ
３ｂ  蓋体
５  前面板部
６  下部支持板部
７  側板部
８  開口部
１０  上部支持板部
１１  背面板部
１３  第１折り目
１４  第２折り目
１５  第３折り目
１６  第４折り目
１７  側部折り目
１８  貼着片用折り目
１９  貼着片
２０  係合段部
２１  切り込み
２５  折り畳み用折り目
２６  折り曲げ片用折り目
２７  折り曲げ片
２８  吊り下げ部
２９  吊り下げ孔
３１  上部折り目
Ａ  前面保持部
Ｂ  背面保持部
【図１】
0003152387.tif 000003
【図２】
0003152387.tif 000004
【図３】
0003152387.tif 000005
【図４】
0003152387.tif 000006
【図５】
0003152387.tif 000007
【図６】
0003152387.tif 000008
【図７】
0003152387.tif 000009
【図８】
0003152387.tif 000010
【図９】
0003152387.tif 000011